(57)【要約】      （修正有）【課題】呼気の拡散を制限するためにマスクの効果を高めることを目的とし、マスクとともに容易に装着可能で安全性の高いマスクカバーを提供する。【解決手段】気体を透過しない柔らかなシート状の素材を用いた長方形の本体１の１短辺の近傍に使用するマスクの幅よりやや広い間隔で２個の切り込み４を設け、該切り込みにマスク３の紐５を通す状態で顔に装着し得るごとく形成した。【選択図】図１
0003228157.tif 000002
【実用新案登録請求の範囲】
【請求項１】
気体を透過しない柔らかなシート状の素材を用いて長方形に形成した本体の短辺の近傍に、使用するマスクの幅よりやや広い間隔で２個の切り込みを設け、該本体をマスクの外側に重ね、該切り込みにマスクの紐を外側に向けて通す状態で顔に装着し得るごとく形成したマスクカバー。
【考案の詳細な説明】
【技術分野】
【０００１】
本考案は呼気の拡散を制限するために人の口及び鼻孔を覆うマスクの効果を高めることを目的としたマスクカバーであり、特に通気性のない素材を使用したカバーを簡単な加工によって容易にマスクの外側に取り付けうるごとく形成して、強い呼気においてもその飛散を防止することを可能にしたものである。
【背景技術】
【０００２】
気体を透過し得る素材で形成されたマスクは、咳などで呼気に含まれる飛沫が飛散するのを防止することはできるが、より細かい粒子（エアロゾル）の飛散を充分に防止する機能はない。感染症の流行においてはマスクだけでは対面者との間で安全性を守ることが難しく、医療・介護に携わる人の作業に支障をきたす恐れがある。
このような状況を回避するために、マスクとともに容易に装着可能で安全性の高い機材が求められている。このような課題を安価な機材で実現するのが本考案の目的である。
非特許文献に代わる参考商品紹介
【０００３】
マスクとは別に頭部に取り付ける方式の比較的硬い素材で形成されたサンバイザー風のフェイスガードなるものは広く市販されている。しかし、これは顔の下半分はかなり広く開いているものであり、近接して対面する場合にはかえって邪魔になるうえ、お互いの細かい粒子（エアロゾル）が下側から回り込む状態を防ぎきれていない。
【０００４】
煙を用いた実験では、マスクを通り抜けた煙は広く開いた下側のスペースから自由に拡散してしまい、その実質的な効果は期待できない。また、混雑した電車に乗った場合では、吊革につかまった人が該フェイスガードを装着した場合、着座している人に直接呼気を振りかけることになる可能性があり、好ましくない状態となってしまう。
【考案の概要】
【考案が解決しようとする課題】
【０００５】
本考案の主な目的はマスクを通り抜けた微細な飛沫（エアロゾル）を、顔面から側後方と上方向に導くことである。医療・介護において、近接して対面している相手に対して最大限の配慮が必要であり、またお互いに恐怖感があっても好ましくない。
マスクの前面を柔らかな素材で構成した通気性のない素材で完全に遮蔽することで、強い呼気からのエアロゾルの飛散も防止すると同時にこの呼気を耳近傍の空間から側後方に誘導する通路を構成するとともに、目の下の鼻と頬とで形成されている狭い空間から上方に導くことを目的としている。なお完全に密閉してしまえば息苦しくなり長時間使用することが出来なくなるのは当然である。
【０００６】
本考案のマスクカバーを装着した人が作業するときは、一般にやや下を向いた状態が多いので、耳の近傍からと、鼻の近傍から流路に誘導された呼気は主に上方に向かうことになる。上方では一般に気体の流動が大きく、1か所に停滞することが少ない。また、室内では現在市販されている紫外線などを用いた殺菌効果を有する空気清浄器などによって飛沫自体を殺菌することがでる。
【０００７】
更に、本考案の目的はマスクの機能を改善するためのものであり、高価なものであっては、本来の目的にそぐわないものとなってしまう。
上記のかなり高度な機能の要求と、コスト的に安価なものであることとを両立することが本考案の課題である。
【課題を解決するための手段】
【０００８】
気体を透過しない柔らかなシート状の素材で形成された本体は、長方形であり、一般に市販されている殺菌加工された袋状のものをそのまま応用することもできる。袋状である必要はないが本体の短い底辺の近傍にマスクの幅よりやや大きい間隔で２個の線状の切り込みを設ける。該切り込みの長さは３ｃｍ程度が適当である。底辺の近傍は袋の底辺であるために、溶着加工が施されていて２重となっているために、引き裂き力が加わっても容易に破断しない
「考案の効果」
【０００９】
上記の説明で明らかなごとく、本考案のマスクカバーは、極めて簡単な構造で人の呼気が前方または下方向に飛散するのを防ぎ、安全とされる対人距離を２ｍから、２０ｃｍ程度まで大幅に縮小して医療・介護従事者の仕事の危険性を大幅に改善することが出来る。また、混雑している電車などでも、着座している人に不用意にエアロゾルを浴びせるごとき恐れもない。これは、今最大限に懸念される医療・介護崩壊を防ぎ得るものであり、また、通常の社会活動が感染症の広まりの原因となる要因を防止し得るので、その社会的、経済的効果は計り知れない。
【図面の簡単な説明】
【００１０】
【図１】図１は、本考案のマスクカバーの１実施例の形状を示す平面図である。
【図２】図２は、本考案のマスクカバーの１実施例の人への装着時の側面図である。
【考案を実施するための形態】
【００１１】
本考案は上記課題を解決するための極めて合理的な技術であり、その手段は極めて簡単である。以下上記の図とともにその構造を説明する。
気体を透過しない柔らかなシート状の素材で形成された本体1は、長方形であり、一般に市販されている殺菌加工された袋状のものをそのまま応用することもできる。袋状である必要はないが本体1の短い底辺２の近傍にマスク３の幅よりやや大きい間隔で２個の線状の切り込み４を設ける。該切り込み４の長さは３ｃｍ程度が適当である。底辺２の近傍は袋の底辺であるために、溶着加工が施されていて２重となっているために、引き裂き力が加わっても容易に破断しないという利点があるが、これは必須事項ではない。この切り込み４にマスク３の紐５を半回転してねじった形で通して耳にかける。こうすることでマスク３は人の口と鼻を完全に覆うように取り付けることができる。しかし、半回転ねじることは、顔の形状とマスク３の形状に依存する要素もあり、これに限定するものではない。目の下の鼻の凸部とマスク３の間は、可撓性の針金などで形成して、漏れを少なくしているので、特別に配慮する必要はない。一般のマスクのみを使用している状態で、この部分の隙間をあまりきっちりと止めると、鼻から出た湿気がマスクを通して外部に出て、眼鏡レンズの外側に付着して凝結して眼鏡レンズが曇る原因となる。
本発明のマスクカバーを装着した場合は湿気を含む気体はマスクカバーを通り抜けて外には出ることはないので、眼鏡レンズの内側を通って上方に逃げる。従って眼鏡レンズの外面で凝結せず、曇りの原因にはならない。
耳の脇からの流路巾は、マスク３の紐５を半回転ねじったことと、切り込み４が短いことによって開口部は最小限であり、呼気を側後方に的確に導く誘導路をうまく形成している。
また、本体１の素材は柔らかなシート状で長く垂下して顎から下へ襟元まで覆う形となり呼気が下から前方に回り込む量を最小限にとどめている。
【産業上の利用可能性】
【００１２】
以上の説明で明らかなごとく本考案のマスクカバーは構造が簡単なだけでなく、製作も極めて簡単である。従って製作には特別な技術を必要とするものではないので、医療機関や介護期間などにおいて、製作の専門家がいない状態でも必要に応じて任意に製作することができる。従って、余分なストックを用意するなどの事前の備えなども最小限に抑えることが出来、極めて経済的である。
【符号の説明】
【００１３】
１    本体
２    底辺
３    マスク
４    切り込み
５    紐
【図１】
0003228157.tif 000003
【図２】
0003228157.tif 000004